(57)【要約】【課題】サーバ装置のプログラムを改変せずに、複数のパケットから成るデータを通信媒体からサーバ装置に受け渡すまでに要する通信時間を短縮することができるデータ授受システムを提供する。【解決手段】本発明に係るデータ授受システムは、コマンドを送信したことを条件としてデータの受信許容状態となるサーバ装置３０と、サーバ装置との間で予め定義されたコマンドが与えられた場合、常に、そのコマンドを受信し、かつそのコマンドに対応する処理を行うＩＣカード２０とを備え、これらサーバ装置とＩＣカードとの間においてデータの授受を行うものである。サーバ装置は、ＩＣカードとの間で未定義となるダミーコマンドを送信する機能を有し、かつ複数のパケットから成るデータをＩＣカードから受信する場合、パケットの受信タイミングに応じてダミーコマンドを送受信手段から送信させるリーダライタ制御手段４３を備えている。【選択図】        図１
2008181309.tif 000002
【特許請求の範囲】
【請求項１】
コマンドを送信したことを条件としてデータの受信許容状態となるサーバ装置と、
前記サーバ装置との間で予め定義されたコマンドが与えられた場合、常に、そのコマンドを受信し、かつそのコマンドに対応する処理を行う通信媒体と
を備え、これら前記サーバ装置と前記通信媒体との間においてデータの授受を行うデータ授受システムにおいて、
前記サーバ装置は、
前記通信媒体との間で未定義となるダミーコマンドを送信する機能を有し、かつ複数のパケットから成るデータを前記通信媒体から受信する場合、パケットの受信タイミングに応じて前記ダミーコマンドを送信手段から送信させる制御手段を備える
ことを特徴とするデータ授受システム。
【発明の詳細な説明】
【技術分野】
【０００１】
本発明は、コマンドを送信したことを条件としてデータの受信許容状態となるサーバ装置と、サーバ装置との間で予め定義されたコマンドが与えられた場合、常に、そのコマンドを受信し、かつそのコマンドに対応する処理を行う通信媒体とを備え、これらサーバ装置と通信媒体との間においてデータの授受を行うデータ授受システムに関するものである。
【背景技術】
【０００２】
データ授受システムの中には、コマンドを送信したことを条件としてデータの受信許容状態となるサーバ装置と、サーバ装置との間で予め定義されたコマンドが与えられた場合、常にそのコマンドを受信し、かつそのコマンドに対応する処理を行うカード（通信媒体）とを備え、これらサーバ装置と通信媒体との間においてデータの授受を行うもの（以下、このデータ授受システムを「コマンドレスポンス式のデータ授受システム」という）がある。
【０００３】
例えば、サーバ装置は、図３に示すリーダライタを備えている。リーダライタは、リーダライタ制御手段１２０と、不図示の非接触式インターフェースとを備えている。リーダライタ制御手段１２０は、カードとの間で予め定義されたコマンドを生成し、かつリーダライタを統括的に制御するものである。このリーダライタ制御手段１２０は、コマンドを送信し、かつコマンドを送信したことを条件としてデータの受信許容状態となる送受信手段１２２を備えている。非接触式インターフェースは、送受信手段１２２から与えられたコマンドを送信し、かつデータが与えられた場合には、そのデータを送受信手段１２２に送信するものである。
【０００４】
カードは、カードメモリを有し、与えられたコマンドの処理を行い、かつそのコマンドに対するレスポンスを行うＩＣチップ１３２と、常時、リーダライタから送信されるコマンドの受信を許容し、与えられたコマンドをＩＣチップ１３２に送信し、かつＩＣチップ１３２から与えられたレスポンンスを送信する非接触式インターフェース１３０とを備えている。
【０００５】
次に、このデータ授受システムの作用を説明する。通常、送受信手段１２２は、レスポンス等のデータが与えられても、そのデータの受信を拒否する状態（以下、この送受信手段１２２の状態を「データの受信非許容状態」という）となっている。
【０００６】
サーバ装置に不図示の入力手段を通じてデータ送信指令が与えられた場合、サーバ装置は、その旨の指令をリーダライタ制御手段１２０に送信する。その旨の指令が与えられたリーダライタ制御手段１２０は、所定のデータを送信させる旨のコマンドを作成し、そのコマンドを送受信手段１２２から非接触式インターフェースを通じて送信する（ＳＱ２００）。上記コマンドを送信した送受信手段１２２は、データの受信非許容状態から、レスポンス等のデータの受信を許容する状態（以下、この送受信手段１２２の状態を「データの受信許容状態」という）に移行する。
【０００７】
カードの非接触式インターフェース１３０を通じて上記コマンドがＩＣチップ１３２に与えられた場合（ＳＱ２００）、ＩＣチップ１３２は、そのコマンドによりカードメモリに格納してあるデータを読み出す処理を行う。その後、ＩＣチップ１３２は、カードメモリから読み出したデータをレスポンスとし、非接触式インターフェース１３０を通じてレスポンスを送信する（ＳＱ２０１）。
【０００８】
リーダライタの非接触式インターフェースを通じて上記レスポンスが送受信手段１２２に与えられた場合、送受信手段１２２は、そのレスポンスの受信を許容する（ＳＱ２０１）。その後、再び、送受信手段１２２は、データの受信許容状態からデータの受信非許容状態に移行することとなる。
【発明の開示】
【発明が解決しようとする課題】
【０００９】
ところで、昨今、例えば上記カードを携帯電話に内蔵させることで、携帯電話をサーバ装置に対するクライアント装置として適用し、例えば携帯電話の携帯メモリに格納してあるデータをサーバ装置に送信する要望がある。
【００１０】
しかしながら、単に、上記カードを携帯電話に内蔵させ、携帯電話をクライアント装置として使用した場合、以下に記載するような問題が生じることとなり、具現化されていないのが実情である。
【００１１】
すなわち、複数のパケットから成るデータを携帯電話からカードを通じてリーダライタに受信させる場合において、コマンドレスポンス方式のデータ授受システムでは、リーダライタの送受信手段１２２がデータの受信を許容するのは、コマンドを送信した直後に送信されたもの（レスポンスとして送信する一番目のパケットデータ）のみである。よって、携帯電話から送信した二番目以降のパケットデータの受信は、リーダライタの送受信手段１２２によって拒否されることとなる。
【００１２】
携帯電話から送信した二番目以降のパケットデータの受信を送受信手段１２２に許容させるには、各パケットデータを送信するのに先立って、リーダライタの送受信手段１２２からカードにコマンドをそれぞれ送信しなければならない。
【００１３】
ここで、リーダライタから送信されたコマンドをカードが受信した場合、そのカードは、そのコマンドの内容を理解し、コマンドに対応するデータを例えば携帯メモリから読み出し、携帯メモリから読み出したデータを非接触式インターフェース１３０から送信しなければならない。よって、複数のパケットに分割したデータを、携帯電話から送信し、カードを通じてリーダライタが受信するまでには時間を必要とする問題があった。
【００１４】
特に、昨今では、携帯メモリの容量が増大しており、携帯電話とリーダライタとの間で大容量のデータの受け渡しを行うことが望まれる。この場合、リーダライタから携帯電話に送信するコマンドの数が増加することに起因して、上記問題が顕著になり、データの受け渡しに長い時間を必要とする。なお、この問題は、カードを通じて携帯電話から送信されたデータを、常時、リーダライタが受信するようサーバ装置のプログラムを改変することで解決することが可能である。しかしながら、既設のサーバ装置が有するリーダライタのプログラムをすべて改変するには膨大な手間がかかることになる。
【００１５】
そこで、本発明は上記実情に鑑み、サーバ装置が有するリーダライタのプログラムを改変せずに、複数のパケットから成るデータを通信媒体からサーバ装置に受け渡すまでに要する通信時間を短縮することができるデータ授受システムを提供することにある。
【課題を解決するための手段】
【００１６】
上記の目的を達成するために、請求項１に係る発明は、コマンドを送信したことを条件としてデータの受信許容状態となるサーバ装置と、前記サーバ装置との間で予め定義されたコマンドが与えられた場合、常に、そのコマンドを受信し、かつそのコマンドに対応する処理を行う通信媒体とを備え、これらサーバ装置と通信媒体との間においてデータの授受を行うデータ授受システムにおいて、前記サーバ装置は、前記通信媒体との間で未定義となるダミーコマンドを送信する機能を有し、かつ複数のパケットから成るデータを前記通信媒体から受信する場合、パケットの受信タイミングに応じて前記ダミーコマンドを送信手段から送信させる制御手段を備えることを特徴とする。
【発明の効果】
【００１７】
本発明に係るデータ授受システムによれば、複数のパケットから成るデータを通信媒体から受信する場合、パケットの受信タイミングに応じてダミーコマンドを送信手段から送信させる制御手段を備えるため、複数のパケットデータを受信する場合、そのパケットデータの送信のタイミングに応じて送信手段からダミーコマンドを送信するため、ダミーコマンドを送信すれば、サーバ装置を受信許容状態にすることができる。よって、二番目以降の各パケットデータを通信媒体からサーバ装置に送信する場合には、パケットデータの送信に先立ってダミーコマンドを送信手段から通信媒体に送信すれば、通信媒体がダミーコマンドにより何ら処理を行わないため、複数のパケットから成るデータを通信媒体からサーバ装置に受け渡すまでに要する通信時間を短縮することができる。
【発明を実施するための最良の形態】
【００１８】
以下に、添付図面を適宜参照しながら、本発明に係るデータ授受システムの好適な実施の形態について詳細に説明する。
【００１９】
図１は、本発明に係るデータ授受システムの構成を示す説明図である。データ授受システムは、例えばクライアント装置である携帯電話１０と、サーバ装置３０とを備えている。
【００２０】
携帯電話１０は、携帯メモリ１１と、入力手段１２と、表示手段１３と、接触式インターフェース１４と、携帯電話制御手段１７とを備えている。
【００２１】
携帯メモリ１１には、携帯電話を機能させるためのプログラムやデータを格納してある。また、この携帯メモリ１１には、画像データ等のデータも格納してある。この携帯メモリ１１は、携帯電話制御手段１７の指令に応じてデータが書き込まれ、かつデータが読み出されるものである。
【００２２】
入力手段１２は、例えばテンキーと機能キーとで構成してあり、携帯電話操作者がそれらキーが押圧操作された場合、操作されたキーに基づいた内容が携帯電話制御手段１７に与えるものである。
【００２３】
表示手段１３は、例えば液晶ディスプレイで構成してあり、携帯電話制御手段１７からの指令に基づいた表示内容を、液晶ディスプレイに表示するものである。
【００２４】
接触式インターフェース１４は、後述するＩＣカードとの間を配線等の有線で接続したものであり、携帯電話制御手段１７の指令に応じて、後述するＩＣカードとの間で、コマンドおよびレスポンス等のデータの授受を行うものである。
【００２５】
携帯電話制御手段１７は、携帯メモリ１１、入力手段１２、表示手段１３、および接触式インターフェース１４を統括的に制御するもの、すなわち携帯電話を統括的に制御するものである。この携帯電話制御手段１７は、携帯電話で電話をするのに必要な機能を有し、かつ携帯電話でメールを行うのに必要な機能を有するものである。また、この携帯電話制御手段１７は、後述するＩＣカードを通じてサーバ装置３０から、携帯メモリ１１に格納してある所定のデータを送信する旨のコマンドが与えられた場合、そのコマンドに対応するデータを携帯メモリ１１から読み出し、携帯メモリ１１から読み出したデータをＩＣカードを通じてサーバ装置３０に送信するものである。
【００２６】
また、この携帯電話１０は、例えば通信媒体であるＩＣカード２０を内蔵している。このＩＣカード２０は、携帯電話１０とサーバ装置３０との間でデータの授受を行うもので、接触式インターフェース２１と、非接触式インターフェース２２と、ＩＣカードメモリ２３と、ＩＣカード制御手段２４とを備えている。
【００２７】
接触式インターフェース２１は、上記携帯電話制御手段１７との間を配線等の有線で接続したものであり、ＩＣカード制御手段２４からの指令に応じて、携帯電話制御手段１７との間で、コマンドおよびレスポンス等のデータの授受を行うものである。
【００２８】
非接触式インターフェース２２は、ＩＣカード制御手段２４からの指令に応じ、サーバ装置３０が備える後述するリーダライタに対して非接触の状態で、コマンドおよびレスポンス等のデータの授受を行うものである。なお、本実施の形態で示すＩＣカード２０は、接触式インターフェース２１と、非接触式インターフェース２２とを有するデュアルインターフェースのものを適用してある。
【００２９】
ＩＣカードメモリ２３は、ＩＣカード２０を機能させるためのプログラムやデータを格納してある。このＩＣカードメモリ２３は、ＩＣカード制御手段２４の指令に応じてデータが書き込まれ、かつデータが読み出されるものである。
【００３０】
ＩＣカード制御手段２４は、例えば不図示のＩＣチップを内蔵しており、接触式インターフェース２１、非接触式インターフェース２２、およびＩＣカードメモリ２３を統括的に制御するものである。
【００３１】
また、このＩＣカード制御手段２４は、非接触式インターフェース２２を通じてサーバ装置３０から、ＩＣカードメモリ２３に格納してある所定のデータを送信する旨のコマンドが与えられた場合、そのコマンドに対応するデータをＩＣカードメモリ２３から読み出し、ＩＣカードメモリ２３から読み出したデータを非接触式インターフェース２２を通じてサーバ装置３０に送信するものである。
【００３２】
サーバ装置３０は、例えばＩＣカード２０を通じて携帯電話１０との間でデータの授受を行うものであり、主制御手段３１を備えている。主制御手段３１は、サーバ装置３０の統括的な制御を行うものである。
【００３３】
また、このサーバ装置３０は、リーダライタ４０を内蔵している。リーダライタ４０は、所定の保持領域にＩＣカード２０が配置された場合、ＩＣカード制御手段２４に対して与えるコマンドにより、ＩＣカードメモリ２３にデータの書き込みを行うとともに、ＩＣカードメモリ２３に格納してあるデータの読み出しを行うものであり、かつ携帯電話制御手段１７に対して与えるコマンドにより、携帯メモリ１１にデータの書き込みを行うとともに、携帯メモリ１１に格納してあるデータの読み出しを行うものである。本実施の形態では、ＩＣカード２０に対して非接触の状態でデータの読み書きを行うことのできるリーダライタ４０を適用している。このリーダライタ４０は、リーダライタメモリ４１と、非接触式インターフェース４２と、リーダライタ制御手段４３とを備えている。
【００３４】
リーダライタメモリ４１には、リーダライタ４０を機能させるためのプログラムやデータを格納してある。
【００３５】
非接触式インターフェース４２は、リーダライタ制御手段４３からの指令に応じ、非接触式インターフェース２２を通じてＩＣカード制御手段２４に対して、コマンドおよびレスポンス等のデータの授受を行うものである。
【００３６】
リーダライタ制御手段４３は、リーダライタメモリ４１および非接触式インターフェース４２の統括的な制御を行うもの、すなわちリーダライタ４０の統括的な制御を行うもので、例えば主制御手段３１からデータ送信命令が与えられた場合に、ＩＣカード制御手段２４または携帯電話制御手段１７に所定のコマンドを送信し、そのコマンドによって送信されたデータをリーダライタメモリ４１に書き込むものである。このリーダライタ制御手段４３は、コマンド生成手段４４と、ダミーコマンド生成手段４５と、送受信手段４６とを備えている。
【００３７】
コマンド生成手段４４は、ＩＣカード制御手段２４との間で予め定義されたコマンドを生成するものである。また、このコマンド生成手段４４は、携帯電話制御手段１７との間で予め定義されたコマンドを生成するものである。
【００３８】
ダミーコマンド生成手段４５は、ＩＣカード制御手段２４との間で未定義となるダミーコマンドを生成するものである。よって、ダミーコマンドがＩＣカード制御手段２４に与えられても、ＩＣカード制御手段２４は、ダミーコマンドを識別することができず、ダミーコマンドを破棄する。
【００３９】
送受信手段４６は、ダミーコマンドおよびコマンドを送信するものである。また、この送受信手段４６は、ダミーコマンドを送信したこと、またはコマンドを送信したことを条件として、コマンドおよびレスポンス等のデータの受信を許容するものである。
【００４０】
図２は、上述したデータ授受システムのデータ授受処理の内容を説明するためのシーケンス図である。以下、この図２を参照しながら、本実施の形態に係るデータ授受システムの動作について説明する。通常、送受信手段４６は、レスポンス等のデータが与えられても、そのデータの受信を拒否する状態（以下、この送受信手段４６の状態を「データの受信非許容状態」という）となっている。また、ここでは、携帯メモリ１１に格納してあるデータを、サーバ装置３０に受け渡す例を説明する。
【００４１】
例えば、サーバ装置３０に設けた不図示の入力手段１２を通じて、携帯メモリ１１に格納してあるデータを送信させる旨のデータ送信指令がサーバ装置３０に与えられた場合、主制御手段３１は、そのデータ送信指令をリーダライタ制御手段４３に送信する（ＳＱ１００）。そのデータ送信指令が与えられたリーダライタ制御手段４３は、送受信手段４６にＩＣカード捕獲指令を送信する（ＳＱ１０１）。ＩＣカード捕獲指令が与えられた送受信手段４６は、ＩＣカード捕獲待機状態となる（ＳＱ１０２）。
【００４２】
ＩＣカード捕獲待機状態において、携帯電話をリーダライタ４０の保持領域に配置した場合、ＩＣカード制御手段２４から、予め設定された信号等のデータが非接触式インターフェース２２，４２を通じて送受信手段４６に送信され、ＩＣカード２０がリーダライタ４０に保持されることとなる（ＳＱ１０３）。そして、送受信手段４６からリーダライタ制御手段４３にＩＣカード捕獲応答が送信され（ＳＱ１０４）、リーダライタ制御手段４３において、ＩＣカード２０が保持されたことを検知することができる。
【００４３】
ＩＣカード２０が保持されたことを検知したリーダライタ制御手段４３は、コマンド生成手段４４で、例えばデータ送信時間間隔、および送信させるデータのパケットの総数等を送信させる通信条件送信指令を生成する。この通信条件送信指令はコマンドである。
【００４４】
リーダライタ制御手段４３は、生成したその通信条件送信指令を、非接触式インターフェース２２，４２、ＩＣカード制御手段２４、接触式インターフェース１４，２１を通して携帯電話制御手段１７に送信する（ＳＱ１０５）。送受信手段４６は、通信条件送信指令を送信すると、データの受信非許容状態からレスポンス等のデータの受信を許容する状態（以下、この送受信手段４６の状態を「データの受信許容状態」という）になる。
【００４５】
通信条件送信指令が与えられた携帯電話制御手段１７は、例えば携帯メモリ１１に格納してあるデータ送信時間間隔を読み出し、かつ携帯メモリ１１に格納してあり、サーバ装置３０に送信するデータのパケットの総数を算出する。
【００４６】
その後、携帯電話制御手段１７は、算出したパケットの総数と、読み出したデータ送信時間間隔から成る通信条件送信応答を、接触式インターフェース１４，２１、ＩＣカード制御手段２４、非接触式インターフェース２２，４２を通して送受信手段４６に送信する。（ＳＱ１０６）。この通信条件送信応答は、上記通信条件送信指令に対するレスポンスであり、送受信手段４６はその通信条件送信応答の受信を許容し、リーダライタ制御手段４３にその通信条件送信応答を送信する（ＳＱ１０６）。また送受信手段４６は、通信条件送信応答の受信を許容した後、データ許容状態からデータ非許容状態に移行する。
【００４７】
次いで、リーダライタ制御手段４３は、所定のデータをリーダライタメモリ４１から読み出す。次に、リーダライタ制御手段４３は、読み出したデータを複数のパケットに分割し、分割したデータを、上記データ送信時間間隔に則り、非接触式インターフェース２２，４２、ＩＣカード制御手段２４、接触式インターフェース１４，２１を通して携帯電話制御手段１７にそれぞれ送信する（ＳＱ１０７）。
【００４８】
すべてのデータを送信したリーダライタ制御手段４３は、コマンド生成手段４４で、データを送信する側を切り換える送信切換指令を生成する。この送信切換指令はコマンドである。リーダライタ制御手段４３は、生成したその送信切換指令を、非接触式インターフェース２２，４２、ＩＣカード制御手段２４、接触式インターフェース１４，２１を通して携帯電話制御手段１７に送信する（ＳＱ１０８）。送受信手段４６は、送信切換指令を送信すると、データ非許容状態からデータ許容状態に移行する。
【００４９】
送信切換指令が与えられた携帯電話制御手段１７は、サーバ装置３０に送信するデータを携帯メモリ１１から読み出し、読み出したデータを複数のパケットに分割する。そして、携帯電話制御手段１７は、一番目のパケットデータをレスポンスとし、接触式インターフェース１４，２１、ＩＣカード制御手段２４、非接触式インターフェース２２，４２を通して送受信手段４６に送信する（ＳＱ１０９）。送受信手段４６は、一番目のパケットデータの受信を許容した後、受信した一番目のパケットデータをリーダライタ制御手段４３に送信し（ＳＱ１０９）、その後、データ許容状態からデータ非許容状態に移行する。
【００５０】
リーダライタ制御手段４３は、一番目のパケットデータを受信した後、上記データ送信時間間隔に則ったタイミングで、送受信手段４６を通じてＩＣカード２０にダミーコマンドを送信する（ＳＱ１１０）。送受信手段４６は、ダミーコマンドを送信すると、データ非許容状態からデータ許容状態に移行する。
【００５１】
ＩＣカード制御手段２４は、ダミーコマンドを受信すると、それが識別できないものであるため、ダミーコマンドを破棄する。
【００５２】
一方、携帯電話制御手段１７は、一番目のパケットデータを送信した後、リーダライタ制御手段４３が送信するダミーコマンドの送信を考慮した上、さらに上記データ送信時間間隔に則ったタイミングで、二番目のパケットデータを、接触式インターフェース１４，２１、ＩＣカード制御手段２４、非接触式インターフェース２２，４２を通して送受信手段４６に送信する（ＳＱ１１１）。
【００５３】
送受信手段４６は、二番目のパケットデータの受信を許容した後、その二番目のパケットデータをリーダライタ制御手段４３に送信し（ＳＱ１１１）、その後、データ許容状態からデータ非許容状態に移行する。
【００５４】
以下、上述したのと同様に、データ送信時間間隔に則って、リーダライタ制御手段４３からＩＣカード２０にダミーコマンドを送信することと、および携帯電話制御手段１７からリーダライタ制御手段４３にパケットデータを送信することとを交互に繰り返す。
【００５５】
すべてのパケットデータが送信された場合、リーダライタ制御手段４３は、コマンド生成手段４４で、データの授受を終了する通信終了指令を生成する。この通信終了指令はコマンドである。リーダライタ制御手段４３は、生成したその通信終了指令を、非接触式インターフェース２２，４２、ＩＣカード制御手段２４、接触式インターフェース１４，２１を通して携帯電話制御手段１７に送信する（ＳＱ１１２）。送受信手段４６は、通信終了指令を送信すると、データ非許容状態からデータ許容状態に移行する。
【００５６】
通信終了指令が与えられた携帯電話制御手段１７は、その通信終了指令に対するレスポンスである通信終了応答を、接触式インターフェース１４，２１、ＩＣカード制御手段２４、非接触式インターフェース２２，４２を通して送受信手段４６に送信する（ＳＱ１１３）。送受信手段４６は、通信終了応答の受信を許容した後、その通信終了応答をリーダライタ制御手段４３に送信し（ＳＱ１１３）、その後、データ許容状態からデータ非許容状態に移行する。そして、サーバ装置３０と携帯電話１０との間で行ったデータの授受を終了する。
【００５７】
この発明によれば、複数のパケットから成るデータをＩＣカード２０から受信する場合、パケットの受信タイミングに応じてダミーコマンドを送受信手段４６から送信させるリーダライタ制御手段４３を備えるため、複数のパケットから成るデータを受信する場合、そのデータの送信のタイミングに先立ち、送受信手段４６からダミーコマンドを送信し、そのダミーコマンドの送信により、送受信手段４６をデータの受信許容状態に変位させる。よって、二番目以降の各パケットデータをＩＣカード２０からサーバ装置３０に送信する場合には、パケットデータの送信に先立ってダミーコマンドを送信手段からＩＣカード２０に送信すれば、ＩＣカード２０がダミーコマンドにより何ら処理を行わないため、複数のパケットから成るデータをＩＣカード２０からサーバ装置３０に受け渡すまでに要する通信時間を短縮することができる。
【００５８】
なお、上述した実施の形態には、携帯メモリ１１に格納してあり、複数のパケットから成るデータを、サーバ装置３０に受け渡すもので説明した。しかしながら、本発明はそれに限られず、ＩＣカードメモリ２３に格納してあり、複数のパケットから成るデータを、サーバ装置３０に受け渡す際にも、同様の作用・効果を奏する。
【図面の簡単な説明】
【００５９】
【図１】本発明に係るデータ授受システムの構成を示す説明図である。
【図２】図１に示したデータ授受システムが行うデータ授受処理の内容を説明するためのシーケンス図である。
【図３】従来のデータ授受システムが行うデータ授受処理の内容を説明するためのシーケンス図である。
【符号の説明】
【００６０】
１０      携帯電話（クライアント装置）
１１      携帯メモリ
１２      入力手段
１３      表示手段
１４      接触式インターフェース
１７      携帯電話制御手段
２０      ＩＣカード（通信媒体）
２１      接触式インターフェース
２２      非接触式インターフェース
２３      カードメモリ
２４      カード制御手段
３０      サーバ装置
３１      主制御手段
４０      リーダライタ
４１      リーダライタメモリ
４２      非接触式インターフェース
４３      リーダライタ制御手段（制御手段）
４４      コマンド生成手段
４５      ダミーコマンド生成手段
４６      送受信手段（送信手段）
【図１】
2008181309.tif 000003
【図２】
2008181309.tif 000004
【図３】
2008181309.tif 000005